(57)【要約】【課題】  従来の中心導体保持具は、位置決めのために毎回位置決め治具を使用しなければならなかった。また、中心導体挿通孔の軸がずれて、取付けた中心導体に負担が掛かっていた。【解決手段】  本件出願のコネクタの中心導体保持具は、コネクタの中心導体を差込み・取外し可能な中心導体挿通孔が設けられた本体に、本体を基板の取付け孔に取付けるネジ杆が突設された中心導体保持具において、本体の基板取付け面側に、基板の取付け孔に嵌入する嵌合突起が形成され、その嵌合突起の先にネジ杆が形成され、前記嵌合突起は外周面が多角形であり、その外周面は嵌合突起を取付け孔に嵌入すると取付け孔の内周面に密接して所定の向きに位置決めされるようにネジ杆側に向けて先細りのテーパ面とした。前記中心導体保持具の中心導体挿通孔内には、コネクタの中心導体を保持可能な弾性のある受け具を内装した。【選択図】図１
2006173052.tif 000002
【特許請求の範囲】
【請求項１】
コネクタの中心導体を差込み・取外し可能な中心導体挿通孔が設けられた本体に、本体を基板の取付け孔に取付けるネジ杆が突設された中心導体保持具において、本体の基板取付け面側に、基板の取付け孔に嵌入する嵌合突起が形成され、その嵌合突起の先にネジ杆が形成され、前記嵌合突起は外周面が多角形であり、その外周面は嵌合突起を取付け孔に嵌入すると取付け孔の内周面に密接して所定の向きに位置決めされるようにネジ杆側に向けて先細りのテーパ面としたことを特徴とするコネクタの中心導体保持具。
【請求項２】
請求項１記載のコネクタの中心導体保持具において、中心導体挿通孔内にコネクタの中心導体を保持可能な弾性のある受け具が内装されたことを特徴とするコネクタの中心導体保持具。
【請求項３】
請求項１又は請求項２記載の中心導体保持具の嵌合突起が基板の取付け孔に嵌入され、基板の裏側に突出したネジ杆をナット締めすることにより、嵌合突起の外周面が基板の取付け孔の内周面に密接し、中心導体挿通孔が所定の向きに位置決めされて基板に固定されたことを特徴とするコネクタの中心導体保持具取付け構造。
【発明の詳細な説明】
【技術分野】
【０００１】
本発明は同軸ケーブルが接続されたコネクタ、例えば、Ｆ型及びＦＴ型コネクタの中心導体を差込み・取外し可能な中心導体保持具と、それを基板に取付けた中心導体保持具取付け構造に関するものである。
【背景技術】
【０００２】
Ｆ型及びＦＴ型コネクタの中心導体を脱着する中心導体保持具として、従来は図４（ａ）（ｂ）に示すものがあった。これは、中心導体挿通孔Ｂが貫通された本体Ａの基板取付け面Ｃ側にネジ杆Ｄが突設され、前記ネジ杆Ｄを基板Ｅの取付け孔Ｆに差込み、基板の裏側に突出したネジ杆ＤにナットＧを螺合して締付けることにより基板Ｅに固定するものである。
【０００３】
この中心導体保持具を基板に取付ける際は、基板Ｅの取付け孔に中心導体保持具Ｍのネジ杆Ｄを差し込んで基板Ｅの上に本体Ａを着座させ、その中心導体保持具Ｍの中心導体挿通孔Ｂに図５（ｂ）に示す位置決め治具ＨのピンＪを差込んで、中心導体挿通孔Ｂをコネクタの中心導体差込方向に向けて位置決めし、その状態で、基板Ｅの裏側に突出しているネジ杆Ｄに、ナットＧを螺合して締付けることにより基板Ｅに固定している。この場合、位置決め治具Ｈは角棒状の押し具Ｉの一側面にピンＪが二本突出しているため、二つの中心導体保持具Ｍの中心導体挿通孔Ｂの向きを同時に位置決めできると同時に、二つの中心導体保持具Ｍの中心導体挿通孔Ｂの向きが平行になり、また、両中心導体挿通孔Ｂの間隔が一定に位置決めされるという利点がある（図５ａ参照。）。ちなみに、二つの中心導体保持具Ｍを一個づつ別々に取付けたのでは、二つの中心導体保持具Ｍの中心導体挿通孔Ｂの向きが平行にならず、また、間隔がずれることもある。
【０００４】
基板Ｄに取付けた中心導体保持具にＦ型及びＦＴ型コネクタの中心導体を取付けるには、図６に示すように、中心導体Ｋを中心導体挿通孔Ｂに挿通してから、図４（ａ）（ｂ）の固定ネジＬを締めて中心導体挿通孔Ｂ内の中心導体Ｋを保持する。
【発明の開示】
【発明が解決しようとする課題】
【０００５】
従来の中心導体保持具には次のような課題があった。
（１）基板Ｅに取付ける際に、中心導体Ｋを位置決めするために位置決め治具Ｈを使用しなければならず、取付け作業が煩雑であり、取付けの作業性も悪かった。
（２）取付け治具ＨのピンＪの径は、中心導体挿通孔Ｂに挿入するためにその径よりも小さく形成してある。このため、取付け治具ＨのピンＪを中心導体挿通孔Ｂに挿通させ、中心導体Ｋの差込み位置の位置決めをしてから、ネジ杆Ｄに螺合したナットＧを締め付けると、ナットＧの最後の一締めによって、中心導体挿通孔Ｂの軸（向き）が図６の矢印Ｒ方向にずれてしまう。これでは、取付け治具ＨのピンＪを抜いた中心導体挿通孔Ｂに中心導体Ｋを差込みにくいとか、無理に差込むと中心導体Ｋが曲がるといったことがある。
【課題を解決するための手段】
【０００６】
本発明は、治具を用いることなく容易に取付けが可能であって、取付けの作業性が良く、中心導体の差込みがスムースな同軸ケーブルの中心導体保持具及びそれを基板に取付けた中心導体保持具取付け構造を提供するものである。
【０００７】
本件出願のコネクタの中心導体保持具は、コネクタの中心導体を差込み・取外し可能な中心導体挿通孔が設けられた本体に、本体を基板の取付け孔に取付けるネジ杆が突設された中心導体保持具において、本体の基板取付け面側に、基板の取付け孔に嵌入する嵌合突起が形成され、その嵌合突起の先にネジ杆が形成され、前記嵌合突起は外周面が多角形であり、その外周面は嵌合突起を取付け孔に嵌入すると取付け孔の内周面に密接して所定の向きに位置決めされるようにネジ杆側に向けて先細りのテーパ面とした。前記中心導体保持具の中心導体挿通孔内には、コネクタの中心導体を保持可能な弾性のある受け具を内装した。
【０００８】
本件出願のコネクタの中心導体保持具取付け構造は、前記中心導体保持具の嵌合突起を基板の取付け孔に嵌入し、基板の裏側に突出したネジ杆をナット締めして、嵌合突起の外周面を基板の取付け孔の内周面に密接させ、中心導体挿通孔（の軸）を所定の向きに位置決めして基板に固定した。
【発明の効果】
【０００９】
本件出願のコネクタの中心導体保持具は、嵌合突起の外周面を多角形にし、その外周面をネジ杆側に向けて先細りのテーパ面としたので次のような効果がある。
（１）嵌合突起を基板の取付け孔に嵌入して、ネジ杆をナット締めすれば、嵌合突起が次第に基板の取付け孔の奥の方に引かれて、嵌合突起のテーパの外周面が基板の取付け孔の内周面に密接し、ナットを強く締め付けても中心導体挿通孔（の軸）の向きがずれず、所定の向きに位置決めされて基板に固定される。
（２）取付け治具を使用しなくとも、所定の向きに確実に位置決めして取付けることができる。また、二以上の中心導体保持具を一枚の基板に離して取り付ける場合に、中心導体保持具の間隔を一定にすることもでき、基板への取り付けが容易になる。
【００１０】
本件出願の同軸ケーブルの中心導体保持具取付け構造は、外周面が多角形で、ネジ杆側に向けて先細りのテーパ面である中心導体保持具の嵌合突起が、基板の取付け孔に嵌入され、取付け孔の内周面に密接して、中心導体挿通孔（の軸）が所定の向に位置決めされて基板に固定されるため、中心導体挿通孔へのコネクタの中心導体の挿入、抜去がスムースになる。
【発明を実施するための最良の形態】
【００１１】
（コネクタの中心導体保持具の実施形態）
本発明のコネクタの中心導体保持具の実施形態の一例を図１〜３に基づいて説明する。本発明の中心導体保持具１は、図１（ａ）（ｂ）、図２に示すように、コネクタ２の中心導体３を差込み・取外し可能な中心導体挿通孔５が設けられた本体４に、本体４を基板７の取付け孔８に取付けるネジ杆１０が突設されたものである。また、本体４の基板取付け面６側には、基板７の取付け孔８に嵌入する嵌合突起９が形成され、前記ネジ杆１０は嵌合突起９の先に形成されている。前記コネクタ２には、例えばＦ型及びＦＴ型コネクタ等、同軸ケーブルが接続されたコネクタであれば、任意の物を用いることができる。
【００１２】
前記本体４は、図１（ａ）（ｂ）、図２に示すように、基板７に開口された取付け孔８の径より大きい金属製の部材であって、直方体状に成形されているものである。本体４の形状は直方体には限られず、円柱型等、他の任意の形状とすることができる。本体４には、コネクタ２の中心導体３を差込み・取外し可能な中心導体挿通孔５が、基板７に着座させる基板取付け面６と平行に貫通されている。中心導体挿通孔５の端部の周縁部を面取りして、中心導体３の挿入をガイドするガイド部１５とすることもできる。
【００１３】
前記中心導体挿通孔５内には、図１（ａ）（ｂ）に示すように、挿通させた中心導体３を保持可能な弾性のある受け具１２が内装されている。受け具１２は、中心導体挿通孔５内に内装可能な径の、弾性を有する金属製の筒状部材であって、中央部にはくびれ１３が形成され、そのくびれ１３の弾性によって、内部に挿通させた中心導体３を保持することができるようにしてある。
【００１４】
前記嵌合突起９は、図２に示すように、その外周面が多角形であり、その外周面はネジ杆１０側に向けて先細りのテーパ面としてあり、図１（ａ）（ｂ）に示すように、基板７に開口された取付け孔８に嵌入すると、取付け孔８の内周面に密接して所定の向きに位置決めされるものである。嵌合突起９の外周面の形状は、図に示すように、四角形のものには限られず、ネジ杆１０側に向けて先細りのテーパ面とされ、取付け孔８に嵌入させて取付け孔８の内周面に密接して所定の向きに位置決めすることが可能であれば、三角形、五角形等、任意の多角形とすることができる。その場合、基板７に開口する取付け孔８の形状も、図に示す角孔には限られず、嵌合突起９を嵌入可能な形状とする。
【００１５】
前記ネジ杆１０は、図１（ａ）（ｂ）に示すように、基板７に開口された取付け孔８の径よりも小径で、外周面にネジが形成された棒状部材である。ネジ杆１０は、前記嵌合突起９を基板７の取付け孔８に嵌入させる際に、取付け孔８に差込んで、基板７の裏側に突出させるものである。基板７の裏側に突出したネジ杆１０にナット１１を螺合させて、ナット締めすることにより、基板７を本体４の基板側取付け面６とナット１１とで挟着し、嵌合突起９の外周面が基板７の取付け孔８の内周面に密接し、中心導体挿通孔５が所定の中心導体３の差込み方向に位置決めされて基板７に固定され、中心導体保持具１が取付けられる。
【００１６】
（コネクタの中心導体保持具取付け構造の実施形態）
上記本発明のコネクタの中心導体保持具を基板に取付けた、コネクタの中心導体保持具取付け構造の実施形態の一例について、図１〜図３を用いて説明する。本発明の中心導体保持具１を用いてコネクタ２の中心導体３を保持するには、まず、基板７に開口させた取付け孔８に、中心導体保持具１のネジ杆１０を差込み、基板７の裏側に突出させる。取付け孔８と嵌合突起９とを位置合わせして、基板７の裏側に突出したネジ杆１０にナット１１を螺合させて、ナット締めする。ネジ杆１０をナット締めすると、嵌合突起９が次第に基板７の取付け孔８の奥の方に引かれて、嵌合突起９のテーパの外周面が基板７の取付け孔８の内周面に密接し、ナット１１を強く締め付けても中心導体挿通孔５の軸の向きがずれず、中心導体３の差込み方向に位置決めされて基板７に固定される（図１ａ、ｂ参照）。
【００１７】
更に、中心導体保持具１を用いてコネクタ２の中心導体３を保持するには、中心導体保持具１を基板７に取付けた後に、図３に示すように、同軸ケーブル２の中心導体３を、中心導体挿通孔５内に備え付けられた受け具１２内に挿通させ、受け具１２のくびれ１３によって中心導体３を係止させて、中心導体保持具１によって中心導体３を保持する。
【００１８】
（コネクタの中心導体保持具及び取付け構造のその他の実施形態）
前記実施形態においては、中心導体挿通孔５内に受け具１２を備え、受け具１２のくびれ１３によって、内部に挿通させた中心導体３を保持することができるようにしたが、中心導体３の保持手段はこれには限られず、中心導体挿通孔５内に受け具等を備えずに、本体４に、中心導体挿通孔５内に突出可能な固定ネジを備えて、中心導体挿通孔５内に挿通させた中心導体３を固定させて保持するようにすることもできる。
【産業上の利用可能性】
【００１９】
本発明のコネクタの中心導体保持具及び取付け構造は、コネクタには限られず、同軸ケーブルの中心導体を、軸をずらすことなく取付けることが必要な多くの分野について用いることができる。
【図面の簡単な説明】
【００２０】
【図１】（ａ）は、本発明のコネクタの中心導体保持具を基板に取付けた様子を示す正面説明図。（ｂ）は、（ａ）に示すコネクタの中心導体保持具の側面説明図。
【図２】図１に示す中心導体保持具を倒立させた様子を示す斜視説明図。
【図３】本発明のコネクタ中心導体保持具を用いて中心導体を保持する様子を示す平面説明図。
【図４】（ａ）は、従来のコネクタの中心導体保持具を基板に取付けた様子を示す正面説明図。（ｂ）は、（ａ）に示すコネクタの中心導体保持具の側面説明図。
【図５】（ａ）は、従来の中心導体保持具を基板に取付ける際の位置決め作業の様子を示す平面図。（ｂ）は、（ａ）の位置決め作業に用いる位置決め治具
【図６】従来のコネクタ中心導体保持具を用いて中心導体を保持する様子を示す平面説明図。
【符号の説明】
【００２１】
１  中心導体保持具
２  コネクタ
３  中心導体
４  本体
５  中心導体挿通孔
６  基板取付け面
７  基板
８  取付け孔
９  嵌合突起
１０  ネジ杆
１１  ナット
１２  受け具
１３  くびれ
【図１】
2006173052.tif 000003
【図２】
2006173052.tif 000004
【図３】
2006173052.tif 000005
【図４】
2006173052.tif 000006
【図５】
2006173052.tif 000007
【図６】
2006173052.tif 000008